(57)【要約】【課題】ファームウェア配信時刻と録画時刻が重複する場合に、予めユーザがその重複関係を容易に認識でき、また、重複時刻においてどちらの処理を行うかを予め設定できるデジタル放送受信装置を提供する【解決手段】デジタル放送受信装置は、ファームウェア配信時刻と予約録画時刻とが重複するか否か判別し、ファームウェア受信時刻と予約録画時刻が重複する場合には、ファームウェア配信時刻が予約録画時刻に対して重複するか否かを区別した表示形態にて、ファームウェア受信時刻設定画面を表示し、該受信時刻設定画面に対するユーザ操作入力に従ってファームウェアの受信時刻を設定する。これにより、ファームウェア配信時刻と録画時刻が重複する場合に、予めユーザがその重複関係を容易に認識でき、また、重複時刻においてどちらの処理を行うかを予め設定することができる。【選択図】  図４
2011061602.tif 000002
【特許請求の範囲】
【請求項１】
ファームウェアおよびファームウェア配信時刻情報が重畳されるデジタル放送波を受信
する受信手段と、
前記受信手段によって受信されるデジタル放送の予約録画を設定する予約録画設定手段
と、
前記ファームウェアの配信時刻と前記予約録画の時刻とが重複するか否かを判別する重
複判別手段と、
前記予約録画の設定時に、前記配信時刻が前記予約録画の時刻に対して重複するか否か
を区別した表示形態で、前記ファームウェアの受信時刻設定画面を出力する画面出力手段
と、
前記受信時刻設定画面に対する操作入力により、前記ファームウェアの受信時刻を設定
する受信時刻設定手段と
を備えることを特徴とするデジタル放送受信装置。
【請求項２】
前記画面出力手段は、前記ファームウェア配信時刻情報の受信後に、前記配信時刻が前
記予約録画の時刻に対して重複するか否かを区別した表示形態で、前記受信時刻設定画面
を出力する
ことを特徴とする請求項１記載のデジタル放送受信装置。
【請求項３】
前記ファームウェアの更新処理を行う更新手段を更に備え、
前記更新手段は、前記ファームウェア受信が完了した際に、前記ファームウェアの更新
処理を開始する
ことを特徴とする請求項１記載のデジタル放送受信装置。
【請求項４】
前記受信時刻設定画面とは、前記ファームウェア配信時刻を、予約録画と重複する時刻
と重複しない時刻とで異なる表示形態で示す画面である
ことを特徴とする請求項１記載のデジタル放送受信装置。
【請求項５】
前記重複判別手段は、前記ファームウェア配信時刻が複数番組の予約録画時刻に跨るか
否かを判別し、
前記受信時刻設定画面とは、前記ファームウェア配信時刻が複数番組の予約録画時刻に
跨る場合に、複数番組の予約録画時刻に跨るファームウェア配信時刻とそうでないファー
ムウェア配信時刻を区別した表示形態にて表示する画面である
ことを特徴とする請求項４記載のデジタル放送受信装置。
【請求項６】
前記受信手段は複数のチューナであり、
前記重複判別手段は、前記ファームウェア配信時刻において、前記複数のチューナにフ
ァームウェア受信可能な空きチューナが有るか否かを判別し、
前記画面受信時刻設定画面とは、前記ファームウェアの配信時刻を、当該配信時刻にお
いて前記空きチューナが有るか否かに応じて異なる表示形態で表示する画面である
ことを特徴とする請求項４記載のデジタル放送受信装置。
【請求項７】
前記予約録画の実行中に、前記ファームウェアの受信が前記空きチューナを使用して行
われた場合、前記ファームウェアの受信が完了した際に該予約録画を中断する第１の録画
制御手段
を更に備えることを特徴とする請求項６記載のデジタル放送受信装置。
【請求項８】
前記予約録画の実行中において、ファームウェア受信時刻前に該予約録画を中断する第
２の録画制御手段
を更に備えることを特徴とする請求項１記載のデジタル放送受信装置。
【請求項９】
前記録画制御手段は、前記ファームウェアの更新の完了後に、中断された録画を再開す
る
ことを特徴とする請求項７又は８記載のデジタル放送受信装置。
【請求項１０】
前記画面出力手段は、前記録画制御手段が前記予約録画を中断した場合に、該予約録画
が中断された旨をユーザに通知する画面を出力する
ことを特徴とする請求項６又は７記載のデジタル放送受信装置。
【請求項１１】
前記画面出力手段は、中断された予約録画が完了した後に、該予約録画が中断された旨
をユーザに通知する画面を出力する
ことを特徴とする請求項１０記載のデジタル放送受信装置。
【請求項１２】
ファームウェアおよびファームウェア配信時刻情報が重畳されたデジタル放送波を受信
する受信手段と、
前記受信手段によって受信されるデジタル放送の予約録画を設定する予約録画設定手段
と、
前記ファームウェアの配信時刻と前記予約録画の時刻とが重複するか否かを判別する重
複判別手段と、
前記予約録画の設定時に、前記受信時刻設定画面を、前記予約録画と重複するファーム
ウェアの配信時刻を表示せず、前記予約録画と重複しないファームウェア配信時刻を表示
する表示形態にて出力する画面出力手段と、
前記受信時刻設定画面に対する操作入力により、前記ファームウェアの受信時刻を設定
する受信時刻設定手段と
を備えることを特徴とするデジタル放送受信装置。
【請求項１３】
デジタル放送受信装置で実行されるファームウェア受信時刻設定方法であって、
ファームウェアおよびファームウェア配信時刻情報が重畳されたデジタル放送波を受信
するステップと、
受信されるデジタル放送の予約録画を設定するステップと、
前記ファームウェアの配信時刻と前記予約録画の時刻とが重複するか否かを判別するス
テップと、
前記予約録画の設定時に、前記配信時刻が前記予約録画の時刻に対して重複するか否か
を区別した表示形態で、前記ファームウェアの受信時刻設定画面を出力するステップと、
前記受信時刻設定画面に対する操作入力により、前記ファームウェアの受信時刻を設定
するステップと
を備えることを特徴とするファームウェア受信時刻設定方法。
【発明の詳細な説明】
【技術分野】
【０００１】
本発明は、ファームウェアアップデート機能を有するデジタル放送受信装置に関する。
【背景技術】
【０００２】
一般に、デジタル放送受信装置等を構成するハードウェアは、あらかじめインストール
されたファームウェアの制御の下で動作することが多い。このようなファームウェアの制
御下で動作するハードウェアにあっては、ハードウェアの動作不具合解消やセキュリティ
強化、新機能追加等を行う場合に、外部からファームウェアを取得して更新する必要があ
る。
【０００３】
ここで、ファームウェアの取得方法として、地上波デジタル放送波に重畳されたファー
ムウェアを受信装置にてダウンロードする技術が知られている。この手法では、ファーム
ウェア配信時刻になると受信装置のチューナの受信チャンネルをファームウェア配信チャ
ンネルに設定し、ファームウェアをダウンロードする。
【０００４】
しかしながら、ファームウェア配信時刻と視聴や録画時刻とが重複していると、チュー
ナが何れかの処理に占有されるため、ファームウェアのダウンロードを行うことができな
かったり、録画や視聴が強制的に中断されたりする場合がある。このような状況に対処す
るため、ファームウェアのダウンロード時にユーザの視聴または録画を妨害することを防
止できるダウンロード実行装置が考えられている（例えば、特許文献１）。特許文献１に
は、ファームウェアがダウンロードされるために現在の視聴あるいは録画が中断される場
合、その旨をユーザに通知すると共に、ユーザがファームウェアのダウンロードを拒否し
た際には、次回にダウンロードを行う時間をユーザが設定することのできるダウンロード
実行装置が開示されている。
【先行技術文献】
【特許文献】
【０００５】
【特許文献１】国際公開第０６／０８０３６１号パンフレット
【発明の概要】
【発明が解決しようとする課題】
【０００６】
ところで、近年、デジタルテレビ放送等の録画装置に搭載される記録媒体の容量が飛躍
的に増えたため、受信可能な全てのチャンネルについての一週間分の全ての番組を録画し
たり、ユーザが指定した所望のジャンルに該当する番組等を自動的に予約して録画したり
する録画機能に対する関心が高まっている。
【０００７】
このような技術を利用する際には、チューナが長期間占有されるため、録画時刻とファ
ームウェア配信時刻との重複が顕著に生じることとなり、重複関係をわかりやすくユーザ
に提示すると共に、予めファームウェアアップデートと録画機能との重複の解消を図れる
ようにしておくことが肝要である。しかしながら特許文献１の技術では、ユーザは重複関
係を予め認識することができず、また、重複時刻において録画とファームウェアダウンロ
ードとのどちらを優先させるかを予め設定することができない。
【０００８】
そこで本発明では、ファームウェア配信時刻と録画時刻が重複する場合に、予めユーザ
がその重複を容易に認識でき、また、重複時刻においてどちらの処理を行うかを予め設定
できるデジタル放送受信装置の提供を目的とする。
【課題を解決するための手段】
【０００９】
上記の課題を解決するために、本発明のデジタル放送受信装置は、ファームウェアおよ
びファームウェア配信時刻情報が重畳されたデジタル放送波を受信する受信手段と、前記
受信手段によって受信されるデジタル放送の予約録画を設定する予約録画設定手段と、前
記ファームウェアの配信時刻と前記予約録画の時刻とが重複するか否かを判別する重複判
別手段と、前記予約録画の設定時に、前記配信時刻が前記予約録画の時刻に対して重複す
るか否かを区別した表示形態で、前記ファームウェアの受信時刻設定画面を出力する画面
出力手段と、前記受信時刻設定画面に対する操作入力により、前記ファームウェアの受信
時刻を設定する受信時刻設定手段とを備えることを特徴とする。
【発明の効果】
【００１０】
本発明のデジタル放送受信装置およびファームウェア受信時刻設定方法によれば、ファー
ムウェア配信時刻と録画時刻が重複する場合に、予めユーザがその重複を容易に認識でき
、また、重複時刻においてどちらの処理を行うかを予め設定することができる。
【図面の簡単な説明】
【００１１】
【図１】本発明の第１の実施形態に係るデジタル放送受信装置の利用形態を示す図。
【図２】本発明の第１の実施形態に係るデジタル放送受信装置の構成を示す図。
【図３】本発明の第１の実施形態に係るファームウェアの受信処理に関する構成を示す図。
【図４】本発明の第１の実施形態に係るファームウェア受信時刻設定の処理手順を示すフローチャート。
【図５】本発明の第１の実施形態に係るファームウェア受信時刻設定画面を示す図。
【図６】本発明の第１の実施形態に係る重複対処用ファームウェア受信時刻設定の処理手順を示すフローチャート。
【図７】本発明の第１の実施形態に係る重複対処用ファームウェア受信時刻設定画面を示す図。
【図８】本発明の第１の実施形態に係る重複対処用ファームウェア受信時刻設定画面を示す図。
【図９】本発明の第１の実施形態に係る、空チューナの有無を区別した重複対処用ファームウェア受信時刻画面を示す図。
【図１０】本発明の第１の実施形態に係るファームウェア受信に関する処理手順を示すフローチャート。
【図１１】本発明の第１の実施形態に係るファームウェア更新に関する処理手順を示すフローチャート。
【図１２】本発明の第１の実施形態に係る録画中断通知を行う処理手順を示すフローチャート。
【図１３】本発明の第１の実施形態に係る録画中断通知の画面を示す図。
【図１４】本発明の第２の実施形態に係る重複対処用ファームウェア受信時刻設定の処理手順を示すフローチャート。
【図１５】本発明の第２の実施形態に係る重複対処用ファームウェア受信時刻設定画面を示す図。
【発明を実施するための形態】
【００１２】
以下、図面を参照して、本発明の実施形態を説明する。
（第１実施形態）
まず、図１を参照して、本発明の第１実施形態に係るデジタル放送受信装置の概要を説
明する。このデジタル放送受信装置は、例えばデジタルテレビ２００として実現されてい
る。
【００１３】
放送基地局１０１は、デジタルテレビジョン放送波を送信する。ここで、放送基地局１
０１が送信するデジタル放送波には、デジタルテレビ２００のファームウェアが重畳され
る。ここで、ファームウェアは常に送信されているわけではなく、一定の時刻だけしか送
信されないが、この時刻（配信スケジュール）は、ファームウェアの配信前に、ＳＤＴＴ
（Ｓｏｆｔｗａｒｅ  Ｄｏｗｎｌｏａｄ  Ｔｒｉｇｇｅｒ  Ｔａｂｌｅ）と呼ばれるファ
ームウェア配信時刻情報としてデジタル放送波に重畳されて配信される。デジタルテレビ
２００はこのファームウェア配信時刻情報に基づいて、どの時刻にファームウェアを受信
するかを定めることができる。
【００１４】
ＴＶアンテナ１０２は、放送基地局１０１から配信されたデジタル放送波を受信する。
放送基地局１０１からファームウェアやファームウェア配信時刻情報の重畳されたデジタ
ル放送波が送信されると、その放送波をＴＶアンテナ１０２が受信し、そしてＴＶアンテ
ナ１０２に接続されたデジタルテレビ２００に入力される。そしてデジタルテレビ２００
は、受信したファームウェア配信時刻情報を元にファームウェア受信時刻を設定し、ファ
ームウェアの受信を行う。
【００１５】
図２は、本デジタルテレビを構成するシステムのブロック図である。本デジタルテレビ
２００は、受信部２０１、ＴＳ再多重部２０２、ＴＳ分離部２０３、デスクランブラ部２
０４、録画再生制御部２０５、記録媒体部２０６、ＡＶデコード部２０７、表示処理部２
０８、入力処理部２１０、ＧＵＩ処理部２１１、ＣＡＳ制御部２１２、ＣＡＳカード２１
３、ファームウェア受信処理部３００、表示部２０９、操作入力部２４０等を備えている
。
【００１６】
受信部２０１はＴＶアンテナ１０２（非図示）と接続され、デジタル放送波を受信する
。ここで、受信部２０１は、デジタルテレビチューナ２２１、２２２、２２３を備えてい
る。これらのチューナ２２１、２２２，２２３は、受信すべきデジタル放送のチャンネル
周波数と同期して、デジタル放送チャンネルを受信する。本デジタルテレビ２００は複数
個のチューナ２２１、２２２、２２３を備えているので、同時刻において複数チャンネル
のデジタル放送波を受信することが可能である。
【００１７】
ＴＳ再多重部２０２は、受信部２０１で受信されたデジタル放送データを再多重する機
能を有する。このＴＳ再多重部２０２は、受信部２０１で受信された複数チャンネルのＴ
Ｓ（Ｔｒａｎｓｐｏｒｔ  Ｓｔｒｅａｍ）を一つのＴＳに再多重し、再多重したＴＳをＴ
Ｓ分離部２０３へと出力する。
【００１８】
ＴＳ分離部２０３は、再多重された一つのＴＳから、符号化された音声データや画像デ
ータであるＥＳ（Ｅｌｅｍｅｎｔａｒｙ  Ｓｔｒｅａｍ）や、暗号化情報であるＥＣＭ（
Ｅｎｔｉｔｉｌｅｍｅｎｔ  Ｃｏｎｔｒｏｌ  Ｍｅｓｓａｇｅ）、放送番組の開始時刻や
番組名等の情報が記述されたＥＩＴ（Ｅｖｅｎｔ  Ｉｎｆｏｒｍａｔｉｏｎ  Ｔａｂｌｅ
）、ファームウェア配信時刻情報、ファームウェアデータ等に分離する。そしてＴＳ分離
部２０３は、ＥＳをデスクランブラ部２０４へ、ＥＣＭをＣＡＳ制御部２１２へ、ＥＩＴ
、ファームウェア配信時刻情報、ファームウェアデータをファームウェア受信処理部３０
０へと出力する。
【００１９】
ＣＡＳ制御部２１２には、ＴＳ分離部２０３で分離された暗号化情報ＥＣＭが入力され
る。そしてＣＡＳ制御部２１２は、ＴＳ分離部２０３において分離されたＥＣＭの暗号を
、ＣＡＳカード２１３に記憶されている放送事業者毎に設定されるワーク鍵（Ｋｗ）を用
いて復号する。そしてＥＣＭ内のその番組に関する属性情報とＣＡＳカード２１３に記憶
されている契約情報とを比較して、視聴可否の判定を行う。ＣＡＳ制御部２１２は、視聴
可の場合にはスクランブル鍵（Ｋｓ）を復号してデスクランブラ部２０４に出力する。
【００２０】
デスクランブラ部２０４は、ＴＳ分離部２０３から入力した音声データや画像データの
スクランブル処理を解除する機能を有している。スクランブル解除の際には、ＣＡＳ制御
部２１２から入力した前記スクランブル鍵（Ｋｓ）を用いる。そしてデスクランブラ部２
０４は、スクランブル解除した音声データや画像データは録画再生制御部２０５へ出力す
る。
【００２１】
録画再生制御部２０５は、録画処理および再生処理を制御する。録画処理時においては
、音声データや画像データをチャンネルごとの一つのＴＳに纏めて、記録媒体部２０６へ
の保存を行う。さらに録画再生制御部２０５は、予約録画機能も有する。より具体的には
、録画再生制御部２０５は予約録画時刻の設定／管理を行い、予約録画時刻の設定時には
、操作入力部２４０に対するユーザ操作入力に基づいて予約録画時刻設定を行い、設定さ
れた予約録画時刻を記録する。予約録画開始時刻になると、録画再生制御部２０５は録画
処理を開始する。
【００２２】
ここで、予約録画時刻の設定時において、録画再生制御部２０５は予約録画時刻情報を
後述する重複判別部３０２に出力する。また、録画再生処理部２０５は、後述する重複判
別部３０２からの録画中断の指示に従って、予約録画を中断する機能も有する。
【００２３】
さらに録画再生制御部２０５は、再生処理時において、記録媒体部２０６に保存された
動画像をＡＶデコード部２０７へ出力する。
記録媒体部２０６は、録画再生制御部２０５が録画時に動画像データを記録する記録媒
体である。記録媒体部２０６の具体例としては、ＨＤＤや光学ディスクドライブ等が挙げ
られる。
【００２４】
ＡＶデコード部２０７は、録画再生制御部２０５から入力した放送番組の信号であるＴ
Ｓを、映像信号や音声信号へとデコードし、表示処理部２０８及び図示しないスピーカに
出力する。
【００２５】
表示処理部２０８は、ＡＶデコード部２０７から入力した映像信号を元に、表示部２０
９に映像を出力する。また、ＧＵＩ処理部２１１からの入力信号に従ってファームウェア
受信時刻設定画面の出力も行う。そして表示部２０９は、表示処理部２０８から入力した
映像やファームウェア受信時刻設定画面の表示を行う。
【００２６】
入力処理部２１０は、操作入力部２４０等からの入力信号を受け付ける。例えば予約録
画時刻の設定やファームウェア受信時刻設定等の入力信号を受け付ける。そして、受け付
けた予約録画時刻の設定の入力信号やファームウェア受信時刻設定の入力信号をＧＵＩ処
理部２１１に出力する。
【００２７】
ＧＵＩ処理部２１１は、後述するファームウェア受信処理部３００からの指示に従って
ファームウェア受信時刻設定画面を生成し、生成した画面を表示処理部２０８に出力する
。そして、ＧＵＩ処理部２１１は、入力処理部２１０から入力されたファームウェア受信
時刻設定画面に対するユーザ操作入力の信号を処理し、処理した信号をファームウェア受
信処理部３００に出力する。また、ＧＵＩ処理部２１１は、入力処理部２１０から入力さ
れた録画予約時刻の設定信号を録画再生制御部２０５に出力する。
【００２８】
操作入力部２４０は、デジタルテレビ装置２００に対するユーザの操作入力を受け付け
、その操作入力信号を入力処理部２１０に送信する。操作入力部２４０の例としては、リ
モートコントローラやテレビ装置本体に備え付けられる操作パネル等が挙げられる。
【００２９】
ファームウェア受信処理部３００は、ファームウェア受信に係る処理の処理部として機
能する。ここで、ファームウェア受信処理部３００について図３を参照して説明する。フ
ァームウェア受信処理部３００は、受信更新制御部３０１、重複判別部３０２、ファーム
ウェア一時格納部３０３、ファームウェア記録部３０４等を備えている。
【００３０】
受信更新制御部３０１は、ＴＳ分離部２０３から出力されたＥＩＴ、ファームウェア配
信時刻情報、ファームウェアデータを入力する。そして受信更新制御部３０１は、入力し
たＥＩＴ及びファームウェア配信時刻情報を記録すると共に重複判別部３０２に出力する
。また受信更新制御部３０１は、ＧＵＩ処理部２１１から入力されたファームウェア受信
時刻設定の入力信号に従ってファームウェア受信時刻を設定する機能も有する。そして受
信更新制御部３０１は、ファームウェア受信時刻になると、ファームウェアの重畳された
チャンネルのデジタル放送を受信できるように受信部２０１に備えられたチューナ２２１
、２２２、２２３を制御する。
【００３１】
ここで受信更新制御部３０１は、受信したファームウェアの更新処理の制御も行う。更
新処理の際には、受信更新制御部３０１は、ＴＳ分離部２０３から入力するファームウェ
アのデータをファームウェア一時格納部３０３に順次格納する。また、受信更新処理部３
０１は、ファームウェア一時格納部３０３へのファームウェア格納が完了した際に、ファ
ームウェア書き込みソフトウェアを起動して、ファームウェア記録部３０４へのファーム
ウェアの書き込みを開始する。そしてファームウェアの書き込みが完了すると、受信更新
制御部３０１はハードウェアを再起動させる。
【００３２】
重複判別部３０２は、ファームウェア配信時刻と予約録画の時刻とを比較し、両者の時
刻が重複するか否かを判別する。このとき、まずファームウェア配信時刻情報を取得済み
であるか否か判別したのち、配信時刻情報を取得済みである場合に該重複の判別を行う。
また、重複判別部３０２は、配信時刻と予約録画時刻とが重複する時刻における、ファー
ムウェアを受信可能な空チューナの有無も判別する。
【００３３】
なお重複判別部３０２は、本実施形態において例えばファームウェア配信時刻（時間帯
）と予約録画の時刻（時間帯）とが少しでも重なっている場合を重複として判別する。あ
るいは、ファームウェア配信時刻と予約録画時刻とが重なっていない場合であっても、フ
ァームウェア配信時刻と予約録画時刻とが所定時間間隔（例えば１分以内）で隣接してい
れば、重複すると判別するようにしても良い。
【００３４】
また重複判別部３０２は、ファームウェア配信時刻と予約録画時刻とが重複する場合、
該重複に対処するためのファームウェア受信時刻設定画面をＧＵＩ処理部２１１に生成／
出力させる。さらにその後、ＧＵＩ処理部２１１から入力されたファームウェア受信時刻
設定の入力信号に従って受信更新制御部３０１が受信時刻を設定すると、重複判別部３０
２は再びファームウェア配信時刻と予約録画時刻とが重複するか否かを判別する。そして
重複判別部３０２は、ファームウェア受信時刻と予約録画時刻が重複して設定された場合
には、受信更新制御部３０１と録画再生制御部２０５に対して予約録画を一時中断する指
示を出力する。
【００３５】
図４は第１の実施形態に係るファームウェア受信時刻設定に関する処理のフローチャー
トである。この処理フローは、ファームウェアの配信時刻と予約録画時刻が重複する場合
に、該重複を予め避けるためのものである。
【００３６】
まず重複判別部３０２は、ファームウェアの配信時刻情報を取得済みか否か判別し（Ｓ
４０１）、取得していない場合は、ファームウェア配信時刻情報が重畳された放送波の受
信を行うまで待機する。
【００３７】
ファームウェア配信時刻情報を取得済みである場合（Ｓ４０１のＹｅｓ）、重複判別部
３０２はファームウェア配信時刻と予約録画時刻とが重複するか否かを判別する（Ｓ４０
２）。配信時刻と予約録画時刻とが重複しないのであれば、ＧＵＩ処理部２１１は図５に
示すようなファームウェア受信時刻設定画面を生成し、表示部２０９に表示させる（Ｓ４
０３）。このファームウェア受信時刻設定画面では、受信したファームウェア配信時刻情
報を元に、ファームウェア配信時刻が一覧表示される。
【００３８】
このとき図５では、ファームウェア配信時刻として、ＡＭ１：００−ＡＭ１：０５、Ａ
Ｍ２：００−ＡＭ２：０５、ＡＭ５：００−ＡＭ５：０５、ＡＭ７：００−ＡＭ７：０５
、ＰＭ１：００−ＰＭ１：０５、ＰＭ３：００−ＰＭ３：０５、ＰＭ５：００−ＰＭ５：
０５が示されている。そして、ユーザは各々のファームウェア配信時刻に対して、該配信
時刻にファームウェアを受信するか否かを選択することができる。
【００３９】
なお、前記ファームウェア受信時刻設定画面は、ファームウェアの受信可能である時刻
が認識できる態様であればどのような表示形態でも良い。このようなファームウェア受信
時刻設定画面を表示することで、ユーザは、表示されたファームウェア配信時刻の中から
希望するファームウェア受信時刻を選択することができる。
【００４０】
ファームウェア受信時刻設定画面が表示されると、入力処理部２１０は操作入力部２４
０に対して行われたファームウェア受信時刻を設定するためのユーザ入力に伴う操作信号
を受け付ける（Ｓ４０４）。そしてＧＵＩ処理部２１１及び受信更新制御部３０１は、当
該操作信号に基づいてファームウェア受信時刻を設定する（Ｓ４０５）。
【００４１】
一方、予約録画時刻とファームウェア配信時刻とが重複する場合は（Ｓ４０２のＹｅｓ
）、ファームウェア受信処理部３００は重複対処用ファームウェア受信時刻設定処理を行
う（Ｓ４０６）。この重複対処用ファームウェア受信時刻設定処理では、ファームウェア
受信処理部３００は操作入力部２４０からのユーザ入力に伴う操作信号に従ってファーム
ウェア受信時刻を設定し、該重複時刻においてファームウェア受信と予約録画とのどちら
の処理を行うかを予め設定する。重複対処用ファームウェア受信時刻設定処理に関する詳
細は図６を用いて後述する。
【００４２】
Ｓ４０５あるいはＳ４０６においてファームウェア受信時刻の設定が完了した後、ファ
ームウェア処理部３００は新規の予約録画設定が設定されたか否かを判別する（Ｓ４０７
）。ここで、新規の予約録画が設定されると、処理はＳ４０２へと戻る。新規の予約録画
が設定されると、ファームウェア配信時刻と予約録画時刻との間に新たな重複が発生する
可能性があるが、処理をＳ４０２に戻すことによって、ファームウェア受信時刻設定後に
新たな予約録画が設定された場合であっても、ファームウェア配信時刻と予約録画時刻と
が重複するか否かをユーザが容易に認識でき、また重複時刻においてどちらの処理を行う
かを予め設定することができる。
【００４３】
新規予約録画が設定されない場合、ファームウェア受信処理部３００は現在時刻が予約
録画開始時刻であるか否かを判別する（Ｓ４０８）。現在時刻が予約録画開始時刻でない
場合（Ｓ４０８のＮｏ）、後述するＳ４１２の処理へと進む。
【００４４】
一方、現在時刻が予約開始時刻である場合（Ｓ４０８のＹｅｓ）、続いて重複判別部３
０２はファームウェア受信時刻と当該予約録画の時刻が重複するか否かを判別する（Ｓ４
０９）。ここで重複対処用ファームウェア受信時刻設定処理Ｓ４０６において、予約録画
時刻と重複する時刻にファームウェア受信時刻を設定している場合（Ｓ４０９のＹｅｓ）
、該ファームウェア受信時刻において予約録画処理を中断させる必要があるため、録画再
生処理部２０５及びファームウェア受信処理部３００は、該ファームウェア受信時刻にお
いて予約録画を中断するフラグを立て（Ｓ４１０）、録画処理を開始する（Ｓ４１１）。
【００４５】
録画開始処理が開始されると、ファームウェア受信処理部３００はファームウェア受信
時刻になったか否かを判別する（Ｓ４１２）。ファームウェア受信時刻になっていない場
合にはＳ４０７の処理に戻り、ファームウェア受信時刻に到達するまでＳ４０７〜Ｓ４１
２の処理を繰り返す。そしてファームウェアの受信時刻になると（Ｓ４１２のＹｅｓ）、
ファームウェア受信時刻設定に関する処理は終了する。
【００４６】
続いて、重複対処用ファームウェア受信時刻設定処理Ｓ４０６の処理を、図６を参照し
ながら詳述する。この処理フローにおいて、まず、重複判別部３０２がファームウェア配
信時刻に全てのチューナが予約録画処理に使用されるか否かを判別する（Ｓ５０１）。フ
ァームウェア配信時刻に全てのチューナが使用される場合には（Ｓ５０１のＹｅｓ）、Ｇ
ＵＩ処理部２１１は重複対処用ファームウェア受信時刻設定画面を出力する（Ｓ５０２）
。
【００４７】
重複対処用ファームウェア受信時刻設定画面としては、例えば予約録画時刻と重複する
ファームウェア配信時刻を取り除いた表示形態が挙げられる。この表示形態では、ファー
ムウェア配信時刻情報と予約録画時刻に基づいて、予約録画時刻と重複しないファームウ
ェア配信時刻が一覧表示され、これらの各々のファームウェア配信時刻に対して、該配信
時刻にファームウェアを受信するか否の選択メニューが表示される。
【００４８】
このような表示形態について図７を参照して説明する。例えばファームウェアが、ＡＭ
１：００−ＡＭ１：０５、ＡＭ２：００−ＡＭ２：０５、ＡＭ５：００−ＡＭ５：０５、
ＡＭ７：００−ＡＭ７：０５、ＰＭ１：００−ＰＭ１：０５、ＰＭ３：００−ＰＭ３：０
５、ＰＭ５：００−ＰＭ５：０５に配信されるとする。また、録画予約がＡＭ６：３０−
ＡＭ９：００、ＰＭ２：００−ＰＭ８：００に設定されている。この場合、ＡＭ７：００
−ＡＭ７：０５、ＰＭ３：００−ＰＭ３：０５、ＰＭ５：００−ＰＭ５：０５においてフ
ァームウェア配信時刻と録画予約時刻とが重複する。そのため、図７に示すファームウェ
ア受信時刻設定画面では、これらの配信時刻を除いたファームウェア配信時刻の一覧が表
示される。
【００４９】
ファームウェア受信よりも予約録画を優先させたいユーザにとっては、ファームウェア
の受信時刻を予約録画時刻と重複しない時刻に設定できることが好ましい。そのため、予
約録画の時刻と重複するファームウェア配信時刻を除いて表示することで、予約録画を優
先させたいユーザにとって好ましいファームウェア配信時刻を示すことができる。
【００５０】
さらに、重複対処用ファームウェア受信時刻設定画面として、ファームウェア配信時刻
を、ファームウェア配信時刻と予約録画時刻とが重複するか否かによって異なる態様で示
す表示形態も考えられる。この表示形態では、予約録画時刻と重複するファームウェア配
信時刻を黒色で、重複しないファームウェア配信時刻を灰色で一覧表示する。
【００５１】
この表示形態について図８を参照して説明する。ファームウェアは、ＡＭ１：００−Ａ
Ｍ１：０５、ＡＭ２：００−ＡＭ２：０５、ＡＭ５：００−ＡＭ５：０５、ＡＭ７：００
−ＡＭ７：０５、ＰＭ１：００−ＰＭ１：０５、ＰＭ３：００−ＰＭ３：０５、ＰＭ５：
００−ＰＭ５：０５に配信されるとする。そして録画予約は、ＡＭ６：３０−ＡＭ９：０
０、ＰＭ２：００−ＰＭ８：００に設定されている。
【００５２】
このとき図８では、ＡＭ７：００−ＡＭ７：０５、ＰＭ３：００−ＰＭ３：０５、ＰＭ
５：００−ＰＭ５：０５においてファームウェア配信時刻と録画予約時刻とが重複すると
判別されるため、これらの配信時刻は灰色で表示される。一方、録画予約時刻と重複しな
い配信時刻は黒色で表示される。そして各々のファームウェア配信時刻に対して、該配信
時刻にファームウェアを受信するか否の選択メニューが表示される。
【００５３】
長期にわたってチューナを占有し続けるような録画機能が働いている場合、全てのファ
ームウェア配信時刻が予約録画時刻と重複する可能性がある。このような場合にファーム
ウェアの受信を行うためには、予約録画時刻と重複するファームウェア配信時刻を選択可
能であることが望ましい。また、全ての配信時刻と予約録画時刻とが重複するとは限らな
い場合であっても、ファームウェアを早急に受信したいというユーザの要望がある場合は
、予約録画時刻と重複するファームウェア配信時刻も表示することが好ましい。
【００５４】
ここで、図８に示す重複対処用ファームウェア受信時刻設定画面は、態様の違いによっ
て重複か否かを示しているが、この他にも、重複する配信時刻とそうでない時刻の表示エ
リアを変えることによって示しても良い。例えば、画面を２分割し、片側の画面に重複し
ない配信時刻を、もう片側の画面に重複する配信時刻を表示するようにしても良い。
【００５５】
このように、ファームウェア配信時刻を、配信時刻と予約録画時刻が重複するか否かに
よって区別して表示することにより、重複が顕著となる場合であっても該重複の関係をユ
ーザにわかりやすく認識させることができる。
【００５６】
一方、Ｓ５０１でファームウェア配信時刻に全てのチューナが使用されるわけではない
と判別された場合、ＧＵＩ処理部２１１は、空チューナの有無を区別した重複対処用ファ
ームウェア受信時刻設定画面を出力し、表示部２０９に表示させる（Ｓ５０３）。このと
きの表示形態の例として、図９に示すような、ファームウェア配信時刻を、ファームウェ
ア配信時刻と予約録画時刻とが重複するか否かによって異なる態様にて示し、さらに空チ
ューナの存在する配信時刻を区別して示す表示形態が挙げられる。この表示形態では、予
約録画時刻と重複するファームウェア配信時刻を灰色で、重複しない配信時刻を黒色で示
し、更に空チューナの存在する配信時刻に対してその旨を区別する印を付けている。そし
て各々のファームウェア配信時刻に対して、該配信時刻にファームウェアを受信するか否
の選択メニューが表示される。
【００５７】
図９に示すファームウェア受信時刻設定画面は、前述した図８と同様に、録画予約時刻
と重複するファームウェア配信時刻を灰色で、重複しないファームウェア配信時刻を黒色
で示している。そして図９は、ＰＭ３：００−ＰＭ３：０５及びＰＭ５：００−ＰＭ５：
０５のファームウェア配信時刻と重複する予約録画が、全てのチューナを占有する予約録
画ではない場合、これらのファームウェア配信時刻に対して空チューナが存在することを
示す印を表示する。
【００５８】
この空チューナの有無を区別した重複対処用ファームウェア受信設定画面を表示するこ
とで、ファームウェア配信時刻と予約録画時刻との重複の関係だけでなく、各々の配信時
刻における空チューナの有無をユーザに対してわかりやすく認識させることができる。
【００５９】
Ｓ５０２及びＳ５０３においてファームウェア受信時刻設定画面が表示されると、入力
処理部２１０は操作入力部２４０に対して行われたファームウェア受信時刻設定のユーザ
操作入力の信号を受け付ける（Ｓ５０４）。そして受信更新制御部３０１は、入力処理部
２１０から入力したファームウェア受信時刻設定の信号に従って、ファームウェア受信時
刻を設定する（Ｓ５０５）。
【００６０】
Ｓ５０４におけるユーザ操作入力ステップでは、ユーザは予約録画時刻と重複する配信
時刻と重複しない配信時刻のどちらを選択することも可能である。これにより、予約録画
時刻とファームウェア配信時刻とが重複する際に、どちらの処理を優先させるかについて
、ユーザの判断に従って予め設定して重複を解消することができる。
【００６１】
図１０は、前記したファームウェア受信時刻設定に関する処理の終了後における、ファ
ームウェア受信に係る処理のフローチャートである。
当処理フローでは、まず予約録画を中断するフラグが立っているか否かを録画再生制御
部２０５が判別する（Ｓ６０１）。このフラグは、重複対処用ファームウェア受信時刻設
定処理Ｓ４０６にて予約録画時刻と重複する時刻にファームウェア受信時刻を設定し、Ｓ
４１０にて該重複の有無を判断した後に立てられるものである。予約録画を中断するフラ
グが立っていない場合は（Ｓ６０１のＮｏ）、Ｓ６０４の処理へ進み、ファームウェア受
信処理部３００はファームウェア受信を行う。
【００６２】
一方、予約録画を中断するフラグが立っている場合は（Ｓ６０１のＹｅｓ）、続いて重
複判別部３０２は全チューナが使用されているか否か判別する（Ｓ６０２）。全チューナ
が使用されているわけではない場合は、使用されていない空チューナを用いてファームウ
ェア受信を行う（Ｓ６０４）。一方全チューナが使用されている場合は（Ｓ６０２のＹｅ
ｓ）、ファームウェア受信処理部３００及び録画再生制御部２０５は録画中断処理を行い
（Ｓ６０３）、ファームウェア受信を行う（Ｓ６０４）。
【００６３】
ファームウェアの受信が開始されると、受信更新処理部３０１は受信されたファームウ
ェアはファームウェア一時格納部３０３へと順次格納する（Ｓ６０５）。そして格納が完
了すると（Ｓ６０６のＹｅｓ）、ファームウェア受信に係る処理は終了する。
【００６４】
続いて、ファームウェアの更新処理について図１１を参照しながら説明する。図１１は
、ファームウェア受信に係る処理が終了した後に、ファームウェアを更新する処理のフロ
ー図である。なお、この更新処理フローは、ファームウェアの格納完了時に開始すること
ができる。このようにファームウェア更新処理を迅速に開始させることにより、ファーム
ウェアの受信処理から更新処理に係る時間を必要最低限に収めることができる。
【００６５】
当処理フローでは、まず重複判別部３０２は、何れかのチューナにて録画が行われてい
るか否かを判別する（Ｓ７０１）。これは、ファームウェアを受信したチューナ以外のチ
ューナにて予約録画が行われているかを判別するものである。そして何れかのチューナに
て予約録画が実行されている場合は、該予約録画を中断する（Ｓ７０２）。
【００６６】
一方、何れのチューナにおいても予約録画が行われていない場合（Ｓ７０１のＮｏ）、
録画中断処理は行わない。ここで、いずれのチューナにおいても予約録画が行われていな
い場合とは、前述のファームウェア受信フローのＳ３０３において既に録画中断処理がな
されている場合や、あるいはファームウェア受信時刻と録画時刻とが重複していない場合
を指す。このように、予約録画の中断を行わずに空チューナでファームウェアを受信した
後、ファームウェアの更新処理時において予約録画を中断させることにより、予約録画の
中断時間を短縮することができる。
【００６７】
続いて受信更新処理部３０１は、ファームウェア書き込みソフトウェアを起動し、ファ
ームウェア一時格納部３０３に格納されたファームウェアをファームウェア記録部３０４
に書き込む処理を開始する（Ｓ７０３）。そして、続いてファームウェア書き込みが完了
すると（Ｓ７０４のＹｅｓ）、受信更新制御部３０１はファームウェアの更新に関わるハ
ードウェアの再起動を行う（Ｓ７０５）。
【００６８】
ハードウェア再起動の後、録画再生処理部２０５は、予約録画が中断されたか否かを判
別する（Ｓ７０６）。中断された予約録画が存在する場合は、録画再生処理部２０５は該
予約録画を再開する処理を行う（Ｓ７０７）。この録画再開処理を行うことで、ファーム
ウェア受信および更新によって予約録画が中止されるのを防ぐことができる。
【００６９】
次に、予約録画がファームウェア受信によって中断された場合の処理を、図１２を参照
しながら説明する。図１２は、予約録画がファームウェア受信によって中断された場合に
、該予約録画中断の旨をユーザに通知する処理のフロー図である。この処理フローでは、
まず表示部２０９の電源が投入されているか否かが判別される（Ｓ８０１）。この判別の
手段としては、例えば操作入力部２４０からの電源投入の信号入力があるか否かを判別す
る方法等が挙げられる。そして電源が投入されている場合は、続いて録画再生制御部２０
５は予約録画が完了したか否かを判別する（Ｓ８０２）。
【００７０】
録画が完了している場合（Ｓ８０２のＹｅｓ）、録画再生制御部２０５は予約録画が中
断されたか否かを判別する（Ｓ８０３）。予約録画が中断された場合は（Ｓ８０３のＹｅ
ｓ）、表示処理部２０８は図１３に示すような録画中断通知画面を出力し、予約録画中断
を通知する処理は完了する。なお、図１３の録画中断通知画面では、表示装置の画面中央
部に録画中断の旨と録画中断の日時を示すようにしているが、ユーザが該録画中断の旨を
認識できるものであればどのような表示形態であっても良い。
【００７１】
また当フローでは、Ｓ８０２において録画完了を確認した後に録画中断の通知を行って
いるが、該録画中断の通知のタイミングは録画完了後でなくても良い。例えば、中断した
該予約録画の実行中に表示装置の電源が投入された際など、ユーザが通知を認識できるタ
イミングであればよい。
【００７２】
この第１の実施形態によれば、デジタルテレビ２００は、ファームウェア受信時刻を設
定する際に、予約録画時刻とファームウェア配信時刻とが重複するか否かを判別し、予約
録画時刻と重複するファームウェア配信時刻を区別したファームウェア受信時刻設定画面
を生成し、生成したファームウェア受信時刻設定画面を表示する。これにより、予約録画
時刻とファームウェア配信時刻が重複する場合、該重複の関係をユーザに対して容易に認
識させることができる。
【００７３】
またデジタルテレビ２００は、録画予約時刻と重複するファームウェア配信時刻を表示
せず、重複しないファームウェア配信時刻だけを表示するファームウェア受信時刻画面を
生成することもできる。これにより、予約録画時刻と重複しないファームウェア配信時刻
だけをユーザに提示することができる。
【００７４】
そしてデジタルテレビ２００は、表示されたファームウェア受信時刻設定画面に対する
ユーザの選択操作に基づいてファームウェア受信時刻を設定するので、重複する時刻にお
いて予約録画とファームウェア受信のどちらの処理を優先させるかについて、ユーザの判
断に従って予め設定し、重複を解消することができる。
【００７５】
（第２実施形態）
図１４は、第２実施形態に係る処理のフローチャートである。この処理フローでは、重
複対処用ファームウェア時刻設定画面の表示時において、さらにファームウェア配信時刻
が複数番組の予約録画時刻に跨るか否かを判別し、その旨を区別した表示形態にてファー
ムウェア受信時刻設定画面を表示することができる。
【００７６】
この処理フローでは、まず重複判別部３０２は受信更新制御部３０１から入力されたＥ
ＩＴの番組開始時刻情報とファームウェア配信時刻と録画予約時刻とを比較して、ファー
ムウェア配信時刻が複数番組の予約録画時刻に跨るか否かを判別する（Ｓ９０１）。ここ
で、ファームウェア配信時刻が複数番組の予約録画時刻に跨る場合とは、例えばあるチャ
ンネルの予約録画が設定されている場合に、そのチャンネルにおいて番組が変わる時刻と
ファームウェア配信時刻が重複するような状態を指す。そして、そしてファームウェア受
信配信時刻が複数番組に重複する場合（Ｓ９０１のＹｅｓ）、ＧＵＩ処理部２１１は重複
及び複数番組重複対処用ファームウェア受信時刻設定画面を出力して表示部２０９に表示
させる（Ｓ９０２）。
【００７７】
このときの受信時刻設定画面の表示形態の例として、図１５に示すような、ファームウ
ェア配信時刻を、ファームウェア配信時刻と予約録画時刻とが重複するか否かによって異
なる態様にて示し、さらに複数番組の予約録画と重複する配信時刻を区別して示す表示形
態が挙げられる。この表示形態は、予約録画時刻と重複するファームウェア配信時刻を灰
色で、重複しない配信時刻を黒色で示し、更に複数番組の予約録画に跨る配信時刻を区別
する印を示している。そして各々のファームウェア配信時刻に対して、該配信時刻にファ
ームウェアを受信するか否の選択メニューが表示される。
【００７８】
この表示形態について図１５を参照して説明する。例えば、ＡＭ１：００−ＡＭ１：０
５、ＡＭ２：００−ＡＭ２：０５、ＡＭ５：００−ＡＭ５：０５、ＡＭ７：００−ＡＭ７
：０５、ＰＭ１：００−ＰＭ１：０５、ＰＭ３：００−ＰＭ３：０５、ＰＭ５：００−Ｐ
Ｍ５：０５においてファームウェアが配信されるとする。また、ＡＭ６：３０−ＡＭ９：
００、ＰＭ２：００−ＰＭ８：００に録画予約が設定されている。そしてＡＭ６：３０−
ＡＭ９：００に録画を行うチャンネルでは、ＡＭ７：０４にある番組が終了し、次番組が
開始する。
【００７９】
このとき図１５では、録画予約時刻と重複するファームウエア配信時刻は、前述の図８
等と同様に灰色で表示される。さらに図１５では、ＡＭ７：００−ＡＭ７：０５において
は、ファームウェア配信時刻と複数番組の予約録画とが重複すると判別されため、複数番
組の予約録画と重複するファームウェア配信時刻であるＡＭ７：００−ＡＭ７：０５に対
して、その旨を示す印が表示される。
【００８０】
一方、ファームウェア配信時刻が複数番組に跨らない場合は（Ｓ９０１のＮｏ）、ＧＵ
Ｉ処理部２１１は重複対処用ファームウェア受信時刻設定画面を出力し、表示部２０９に
表示させる（Ｓ９０５）。このとき、受信時刻設定画面としては、第１の実施形態にて説
明した図７や図８のような画面を出力する。
【００８１】
そして入力処理部２１０は操作入力部２４０に対して行われたファームウェア受信時刻
設定のユーザ操作入力の信号を受け付ける（Ｓ９０３）。受信更新制御部３０１は、入力
処理部２１０から入力したファームウェア受信時刻設定の信号に従って、ファームウェア
受信時刻を設定する（Ｓ９０４）。
【００８２】
また、当処理フローでは、ファームウェア配信時刻において空チューナが存在するか否
かを判別する処理を含んでも良い。その場合は、例えばＳ９０２やＳ９０５において、更
に空チューナの有無を判別する処理を行ったのちに、ファームウェア配信時刻における空
チューナの有無を区別した表示形態にて番組重複対処及び複数番組重複対処用受信時刻設
定画面を表示すれば良い。
【００８３】
この第２の実施形態によれば、予約録画時刻と重複するファームウェア配信時刻だけで
なく、複数番組の予約録画時刻に跨っているファームウェア配信時刻をも区別してファー
ムウェア受信時刻設定画面を表示する。これにより、ファームウェア配信時刻と予約録画
時刻の重複関係と、ファームウェア配信時刻が複数番組の予約録画時刻に重複する旨をユ
ーザに認識させ、ユーザの判断に従って予めファームウェア受信時刻を設定することがで
きる。
【００８４】
なお、本発明は、上記の実施形態そのままに限定されるものではなく、その要旨を逸脱
しない範囲で構成要素を変形して実施することができる。
【符号の説明】
【００８５】
１０１：放送基地局
１０２：ＴＶアンテナ
２００：デジタルテレビ装置
２０１：受信部
２０２：ＴＳ再多重部
２０３：ＴＳ分離部
２０４：デスクランブラ部
２０５：録画再生制御部
２０６：記録媒体部
２０７：ＡＶデコード部
２０８：表示処理部
２０９：表示部
２１０：入力処理部
２１１：ＧＵＩ処理部
２１２：ＣＡＳ制御部
２１３：ＣＡＳカード
２２１：チューナ
２２２：チューナ
２２３：チューナ
２４０：操作入力部
３００：ファームウェア受信処理部
３０１：受信更新制御部
３０２：重複判別部
３０３：ファームウェア一時格納部
３０４：ファームウェア記録部
【図１】
2011061602.tif 000003
【図２】
2011061602.tif 000004
【図３】
2011061602.tif 000005
【図４】
2011061602.tif 000006
【図５】
2011061602.tif 000007
【図６】
2011061602.tif 000008
【図７】
2011061602.tif 000009
【図８】
2011061602.tif 000010
【図９】
2011061602.tif 000011
【図１０】
2011061602.tif 000012
【図１１】
2011061602.tif 000013
【図１２】
2011061602.tif 000014
【図１３】
2011061602.tif 000015
【図１４】
2011061602.tif 000016
【図１５】
2011061602.tif 000017